(57)【要約】  本発明に開示した端末に提供する必要があるモビリティ管理のサポート・処理を確定する方法及び装置は、端末のモビリティ管理またはモビリティと関連する情報に基づいて、端末のモビリティ管理マッピング関係または、モビリティマッピング関係を確定し、モビリティ管理マッピング関係は、端末の所在条件が必要とするモビリティサポートレベル、または、モビリティ管理メカニズムとの間のマッピング関係であり、モビリティマッピング関係は、端末の所在条件が端末のモビリティレベルとの間のマッピング関係であり、端末のモビリティ管理マッピング関係に基づき、または、端末の所在条件及び端末のモビリティマッピング関係に基づき、端末に提供するモビリティサポートレベル、または、モビリティ管理メカニズムを確定する。ネットワーク側は、デバイス端末にモビリティサポートレベル、または、モビリティ管理メカニズムを提供する旨の指示を受信し、前記指示に基づいて端末にモビリティ管理を提供する。本発明の実施例に係る技術案によれば、オンデマンド・モビリティ管理を実現することができる。
2019510442.tif 000002
【特許請求の範囲】
【請求項１】
端末のモビリティ管理またはモビリティと関連する情報を確定するステップと、
モビリティ管理と関連する情報に基づいて端末のモビリティ管理マッピング関係を確定し、または、モビリティと関連する情報に基づいて端末のモビリティマッピング関係を確定するステップと、
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定するステップとを有し、
前記モビリティ管理マッピング関係は、端末の所在条件が必要とするモビリティサポートレベル、または、モビリティ管理メカニズムとの間のマッピング関係であり、前記モビリティマッピング関係は、端末の所在条件が端末のモビリティレベルとの間のマッピング関係であることを特徴とする端末に提供する必要があるモビリティ管理のサポートを確定する方法。
【請求項２】
前記端末のモビリティ管理と関連する情報、または、前記端末のモビリティと関連する情報は、端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含むことを特徴とする請求項１に記載の端末に提供する必要があるモビリティ管理のサポートを確定する方法。
【請求項３】
前記モビリティ管理マッピング関係、または、前記モビリティマッピング関係は、
端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成されることを特徴とする請求項１に記載の端末に提供する必要があるモビリティ管理のサポートを確定する方法。
【請求項４】
前記モビリティ管理マッピング関係は、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しなく、
または、端末の通信モードは端末によって開始された単方向データのみをサポートし、必要とするモビリティ管理はＰａｇｉｎｇ機能を提供しなく、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができることを特徴とする請求項３に記載の端末に提供する必要があるモビリティ管理のサポートを確定する方法。
【請求項５】
前記端末の所在条件は、端末タイプ、端末の所在時間帯、端末の所在位置、端末上のユーザー設定、ネットワークにおける端末状態及び端末が要求するサービスのうちの１つまたはその組み合わせを含むことを特徴とする請求項１に記載の端末に提供する必要があるモビリティ管理のサポートを確定する方法。
【請求項６】
端末のモビリティ管理マッピング関係に基づき、端末に提供するモビリティサポートレベル、または、モビリティ管理メカニズムを確定する場合、
端末のモビリティ情報に基づき端末の所在条件を確定し、
端末の所在条件に基づき、端末のモビリティ管理マッピング関係から、端末のモビリティサポートレベル、または、モビリティ管理メカニズムを確定することを特徴とする請求項１に記載の端末に提供する必要があるモビリティ管理のサポートを確定する方法。
【請求項７】
端末の所在条件及び端末のモビリティマッピング関係に基づき、端末に提供するモビリティサポートレベル、または、モビリティ管理メカニズムを確定する場合、
端末のモビリティ情報に基づき端末の所在条件を確定し、
端末の所在条件及びモビリティマッピング関係に基づき、端末のモビリティレベルを確定し、
端末の属性及び端末のモビリティレベルに基づき、端末に提供するモビリティサポートレベル、または、モビリティ管理メカニズムを確定することを特徴とする請求項１に記載の端末に提供する必要があるモビリティ管理のサポートを確定する方法。
【請求項８】
前記端末のモビリティ管理マッピング関係は、端末のサブスクリプション情報、または、ネットワーク設定情報に格納され、または、前記端末のモビリティマッピング関係は、端末のサブスクリプション情報、または、ネットワーク設定情報に格納されることを特徴とする請求項１に記載の端末に提供する必要があるモビリティ管理のサポートを確定する方法。
【請求項９】
事業者またはネットワークにより、前記端末のモビリティ管理マッピング関係、または、モビリティマッピング関係をアップデート及び／または調整し、
及び／または、
端末に提供するモビリティサポートレベル、または、モビリティ管理メカニズムを確定した後、事業者またはネットワークにより、前記モビリティサポートレベル、または、モビリティ管理メカニズムをアップデート及び／または調整することを特徴とする請求項１に記載の端末に提供する必要があるモビリティ管理のサポートを確定する方法。
【請求項１０】
前記端末のモビリティレベルは、モビリティなし、制限されるモビリティ、低モビリティ、無制限モビリティ及び位置追跡がないモビリティのうちの１つを含むことを特徴とする請求項１に記載の端末に提供する必要があるモビリティ管理のサポートを確定する方法。
【請求項１１】
端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示することを特徴とする請求項１ないし請求項１０のいずれか一項に記載の端末に提供する必要があるモビリティ管理のサポートを確定する方法。
【請求項１２】
モビリティサポートレベル、または、モビリティ管理メカニズムに応じて端末にモビリティ管理サポートを提供するデバイスは、サービスの提供に必要とするモビリティ管理のサブ機能、及び／または、各々モビリティ管理のサブ機能の位置に基づき、確定されたものであることを特徴とする請求項１１に記載の端末に提供する必要があるモビリティ管理のサポートを確定する方法。
【請求項１３】
サービスの提供に必要とするモビリティ管理のサブ機能は、ハンドオーバ制御、位置登録、及びページングのうちの１つまたはこれらの組み合わせを含むことを特徴とする請求項１２に記載の端末に提供する必要があるモビリティ管理のサポートを確定する方法。
【請求項１４】
各々モビリティ管理のサブ機能の位置は、ＲＡＮまたはＣＮにあることを特徴とする請求項１２に記載の端末に提供する必要があるモビリティ管理のサポートを確定する方法。
【請求項１５】
端末にモビリティサポートレベル、または、モビリティ管理メカニズムを提供する旨の指示を受信するステップと、
前記指示に応じて、端末に対応するモビリティ管理を提供するステップとを有することを特徴とするモビリティ管理の処理方法。
【請求項１６】
端末のモビリティ管理またはモビリティと関連する情報を確定する情報確定モジュールと、
モビリティ管理と関連する情報に基づいて端末のモビリティ管理マッピング関係を確定し、または、モビリティと関連する情報に基づいて端末のモビリティマッピング関係を確定し、前記モビリティ管理マッピング関係は、端末の所在条件が必要とするモビリティ管理モビリティサポートレベル、または、モビリティ管理メカニズムとの間のマッピング関係であり、前記モビリティマッピング関係は、端末の所在条件が端末のモビリティレベルとの間のマッピング関係であるマッピングモジュールと、
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定する確定モジュールとを備えることを特徴とする端末に提供する必要があるモビリティ管理サポートを確定する装置。
【請求項１７】
情報確定モジュールは、端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含む前記端末のモビリティ管理と関連する情報、または、前記端末のモビリティと関連する情報を確定することを特徴とする請求項１６に記載の端末に提供する必要があるモビリティ管理サポートを確定する装置。
【請求項１８】
マッピングモジュールは、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成された前記モビリティ管理マッピング関係、または、前記モビリティマッピング関係を利用することを特徴とする請求項１６に記載の端末に提供する必要があるモビリティ管理サポートを確定する装置。
【請求項１９】
マッピングモジュールは、以下の関係を含むモビリティ管理マッピング関係を利用し、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しなく、
または、端末の通信モードは端末によって開始された単方向データのみをサポートし、必要とするモビリティ管理はＰａｇｉｎｇ機能を提供しなく、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができることを特徴とする請求項１８に記載の端末に提供する必要があるモビリティ管理サポートを確定する装置。
【請求項２０】
マッピングモジュールは、
端末タイプ、端末の所在時間帯、端末の所在位置、端末上のユーザー設定、ネットワークにおける端末状態及び端末が要求するサービスのうちの１つまたはその組み合わせを含む前記端末の所在条件を利用することを特徴とする請求項１６に記載の端末に提供する必要があるモビリティ管理サポートを確定する装置。
【請求項２１】
指示モジュールは、端末のモビリティ管理マッピング関係に基づき、端末に提供するモビリティサポートレベル、または、モビリティ管理メカニズムを確定する場合、端末のモビリティ情報に基づき端末の所在条件を確定し、
端末の所在条件に基づき、端末のモビリティ管理マッピング関係から、端末のモビリティサポートレベル、または、モビリティ管理メカニズムを確定することを特徴とする請求項１６に記載の端末に提供する必要があるモビリティ管理サポートを確定する装置。
【請求項２２】
指示モジュールは、端末の所在条件及び端末のモビリティマッピング関係に基づき、端末に提供するモビリティサポートレベル、または、モビリティ管理メカニズムを確定する場合、端末のモビリティ情報に基づき端末の所在条件を確定し、端末の所在条件及びモビリティマッピング関係に基づき、端末のモビリティレベルを確定し、
端末の属性及び端末のモビリティレベルに基づき、端末に提供するモビリティサポートレベル、または、モビリティ管理メカニズムを確定することを特徴とする請求項１６に記載の端末に提供する必要があるモビリティ管理サポートを確定する装置。
【請求項２３】
マッピングモジュールは、端末のサブスクリプション情報またはネットワーク設定情報に含まれる前記端末のモビリティ管理マッピング関係、または、前記端末のモビリティマッピング関係を確定することを特徴とする請求項１６に記載の端末に提供する必要があるモビリティ管理サポートを確定する装置。
【請求項２４】
マッピングモジュールは、事業者またはネットワークにより、前記端末のモビリティ管理マッピング関係、または、モビリティマッピング関係をアップデート及び／または調整し、及び／または、端末に提供するモビリティサポートレベル、または、モビリティ管理メカニズムを確定した後、事業者またはネットワークにより、前記モビリティサポートレベル、または、モビリティ管理メカニズムをアップデート及び／または調整することを特徴とする請求項１６に記載の端末に提供する必要があるモビリティ管理サポートを確定する装置。
【請求項２５】
マッピングモジュールは、モビリティなし、制限されるモビリティ、低モビリティ及び無制限モビリティのうちの１つのモビリティレベルを利用することを特徴とする請求項１６に記載の端末に提供する必要があるモビリティ管理サポートを確定する装置。
【請求項２６】
端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示する指示モジュールをさらに備えることを特徴とする請求項１６ないし請求項２５のいずれか一項に記載の端末に提供する必要があるモビリティ管理サポートを確定する装置。
【請求項２７】
指示モジュールは、サービスの提供に必要とするモビリティ管理のサブ機能、及び／または、各々モビリティ管理のサブ機能の位置に基づき、モビリティサポートレベル、または、モビリティ管理メカニズムに応じて、端末にモビリティ管理サポートを提供するデバイスを確定することを特徴とする請求項２６に記載の端末に提供する必要があるモビリティ管理サポートを確定する装置。
【請求項２８】
サービスの提供に必要とするモビリティ管理のサブ機能は、ハンドオーバ制御、位置登録、及びページングのうちの１つまたはこれらの組み合わせを含むことを特徴とする請求項２７に記載の端末に提供する必要があるモビリティ管理サポートを確定する装置。
【請求項２９】
各々モビリティ管理のサブ機能の位置は、ＲＡＮまたはＣＮにあることを特徴とする請求項２７に記載の端末に提供する必要があるモビリティ管理サポートを確定する装置。
【請求項３０】
端末にモビリティサポートレベル、または、モビリティ管理メカニズムを提供する旨の指示を受信する受信モジュールと、
前記指示に応じて、端末に対応するモビリティ管理を提供する管理モジュールとを備えることを特徴とするモビリティ管理の処理装置。
【請求項３１】
プロセッサと、メモリと、送受信機とを備え、
前記プロセッサは、メモリに格納されたプログラムを読み出して、端末のモビリティ管理またはモビリティと関連する情報を確定し、
モビリティ管理と関連する情報に基づいて端末のモビリティ管理マッピング関係を確定し、または、モビリティと関連する情報に基づいて端末のモビリティマッピング関係を確定し、前記モビリティ管理マッピング関係は、端末の所在条件が必要とするモビリティサポートレベル、または、モビリティ管理メカニズムとの間のマッピング関係であり、前記モビリティマッピング関係は、端末の所在条件が端末のモビリティレベルとの間のマッピング関係であり、
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定し、
前記送受信機は、プロセッサの制御によりデータを送受信し、端末のモビリティ管理マッピング関係に基づき、端末に提供するモビリティサポートレベル、または、モビリティ管理メカニズムを確定した後、指示することを特徴とする端末に提供する必要があるモビリティ管理サポートを確定する装置。
【請求項３２】
プロセッサは、端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含む前記端末のモビリティ管理と関連する情報、または、前記端末のモビリティと関連する情報を確定することを特徴とする請求項３１に記載の端末に提供する必要があるモビリティ管理サポートを確定する装置。
【請求項３３】
プロセッサは、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成された前記モビリティ管理マッピング関係、または、前記モビリティマッピング関係を利用することを特徴とする請求項３１に記載の端末に提供する必要があるモビリティ管理サポートを確定する装置。
【請求項３４】
プロセッサは、以下の関係を含むモビリティ管理マッピング関係を利用し、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しなく、
または、端末の通信モードは端末によって開始された単方向データのみをサポートし、必要とするモビリティ管理はＰａｇｉｎｇ機能を提供しなく、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができることを特徴とする請求項３３に記載の端末に提供する必要があるモビリティ管理サポートを確定する装置。
【請求項３５】
プロセッサは、
端末タイプ、端末の所在時間帯、端末の所在位置、端末上のユーザー設定、ネットワークにおける端末状態及び端末が要求するサービスのうちの１つまたはその組み合わせを含む前記端末の所在条件を利用することを特徴とする請求項３１に記載の端末に提供する必要があるモビリティ管理サポートを確定する装置。
【請求項３６】
プロセッサは、端末のモビリティ管理マッピング関係に基づき、端末に提供するモビリティサポートレベル、または、モビリティ管理メカニズムを確定する場合、端末のモビリティ情報に基づき端末の所在条件を確定し、
端末の所在条件に基づき、端末のモビリティ管理マッピング関係から、端末のモビリティサポートレベル、または、モビリティ管理メカニズムを確定することを特徴とする請求項３１に記載の端末に提供する必要があるモビリティ管理サポートを確定する装置。
【請求項３７】
プロセッサは、端末の所在条件及び端末のモビリティマッピング関係に基づき、端末に提供するモビリティサポートレベル、または、モビリティ管理メカニズムを確定する場合、端末のモビリティ情報に基づき端末の所在条件を確定し、
端末の所在条件及びモビリティマッピング関係に基づき、端末のモビリティレベルを確定し、
端末の属性及び端末のモビリティレベルに基づき、端末に提供するモビリティサポートレベル、または、モビリティ管理メカニズムを確定することを特徴とする請求項３１に記載の端末に提供する必要があるモビリティ管理サポートを確定する装置。
【請求項３８】
プロセッサは、端末のサブスクリプション情報またはネットワーク設定情報に含まれる前記端末のモビリティ管理マッピング関係、または、前記端末のモビリティマッピング関係を確定することを特徴とする請求項３１に記載の端末に提供する必要があるモビリティ管理サポートを確定する装置。
【請求項３９】
プロセッサは、事業者またはネットワークにより、前記端末のモビリティ管理マッピング関係、または、モビリティマッピング関係をアップデート及び／または調整し、
及び／または、
端末に提供するモビリティサポートレベル、または、モビリティ管理メカニズムを確定した後、事業者またはネットワークにより、前記モビリティサポートレベル、または、モビリティ管理メカニズムをアップデート及び／または調整することを特徴とする請求項３１に記載の端末に提供する必要があるモビリティ管理サポートを確定する装置。
【請求項４０】
プロセッサは、リティなし、制限されるモビリティ、低モビリティ及び無制限モビリティのうちの１つのモビリティレベルを利用することを特徴とする請求項３１に記載の端末に提供する必要があるモビリティ管理サポートを確定する装置。
【請求項４１】
プロセッサは、
端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示することを特徴とする請求項３１ないし請求項４０のいずれか一項に記載の端末に提供する必要があるモビリティ管理サポートを確定する装置。
【請求項４２】
プロセッサは、サービスの提供に必要とするモビリティ管理のサブ機能、及び／または、各々モビリティ管理のサブ機能の位置に基づき、モビリティサポートレベル、または、モビリティ管理メカニズムに応じて、端末にモビリティ管理サポートを提供するデバイスを確定することを特徴とする請求項３１に記載の端末に提供する必要があるモビリティ管理サポートを確定する装置。
【請求項４３】
サービスの提供に必要とするモビリティ管理のサブ機能は、ハンドオーバ制御、位置登録、及びページングのうちの１つまたはこれらの組み合わせを含むことを特徴とする請求項４２に記載の端末に提供する必要があるモビリティ管理サポートを確定する装置。
【請求項４４】
各々モビリティ管理のサブ機能の位置は、ＲＡＮまたはＣＮにあることを特徴とする請求項４２に記載の端末に提供する必要があるモビリティ管理サポートを確定する装置。
【請求項４５】
メモリに格納されたプログラムを読み出して、指示に応じて、端末に対応するモビリティ管理を提供するプロセッサと、
プロセッサの制御によりデータを送受信し、端末にモビリティサポートレベル、または、モビリティ管理メカニズムを提供する旨の指示を受信する送受信機とを備えることを特徴とするモビリティ管理の処理装置。
【発明の詳細な説明】
【技術分野】
【０００１】
本発明は無線通信技術分野に関し、特に端末に提供する必要があるモビリティ管理のサポート・処理を確定する方法及び装置に関する。
【背景技術】
【０００２】
オンデマンド・モビリティ・サポートは、３ＧＰＰ ＴＲ ２２．８９１に記載されているような将来の５Ｇネットワークにおける異なる要求を満たすために、提供するモビリティサポートを指す。５Ｇネットワークに異なる通信シナリオが存在し、異なる端末が異なる移動態様で動作し、例えば、ある端末は高速で移動しながらネットワークにアクセスし、他の一部の端末は、ローミング中にネットワークにアクセスするか、静的にネットワークにアクセスする。異なるサービスに異なるモビリティサポートに対する要求も異なり、例えば、あるサービスに、サービス伝送中の中断及びパケット損失率を希望するため、ネットワークがアプリケーション層においてモビリティイベントを遮断するように要求し、例えば、ハンドオーバプロセスでＩＰアドレスを維持し、他のアプリケーションではアプリケーション層でサービス継続性をサポートする。これを考慮して、オンデマンド・モビリティ・サポートが３ＧＰＰで提案されている。
【０００３】
オンデマンド・モビリティ・サポートの概念は、３ＧＰＰ ＴＲ２３．７９９で定義されている。すなわち、ネットワークは、端末とサービスの異なる特性に応じて異なるモビリティサポートを提供する。
【０００４】
しかしながら、従来技術の欠点は、オンデマンド・モビリティ・サポートに対する解決案が存在しないことである。
【発明の概要】
【発明が解決しようとする課題】
【０００５】
本発明は端末に提供する必要があるモビリティ管理のサポート・処理を確定する方法及び装置を提供し、オンデマンド・モビリティ管理を確定して実施する案を提供する。
【課題を解決するための手段】
【０００６】
本発明の実施例に係る端末に提供する必要があるモビリティ管理のサポートを確定する方法は、
端末のモビリティ管理またはモビリティと関連する情報を確定するステップと、
モビリティ管理と関連する情報に基づいて端末のモビリティ管理マッピング関係を確定し、または、モビリティと関連する情報に基づいて端末のモビリティマッピング関係を確定するステップと、
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定するステップとを有し、
前記モビリティ管理マッピング関係は、端末の所在条件が必要とするモビリティサポートレベル、または、モビリティ管理メカニズムとの間のマッピング関係であり、前記モビリティマッピング関係は、端末の所在条件が端末のモビリティレベルとの間のマッピング関係である。
【０００７】
好ましくは、前記端末のモビリティ管理と関連する情報、または、前記端末のモビリティと関連する情報は、
端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含む。
【０００８】
好ましくは、前記モビリティ管理マッピング関係、または、前記モビリティマッピング関係は、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成される。
【０００９】
好ましくは、前記モビリティ管理マッピング関係は、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しなく、
または、端末の通信モードは端末によって開始された単方向データのみをサポートし、必要とするモビリティ管理はＰａｇｉｎｇ機能を提供しなく、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができる。
【００１０】
好ましくは、前記端末の所在条件は、
端末タイプ、端末の所在時間帯、端末の所在位置、端末上のユーザー設定、ネットワークにおける端末状態及び端末が要求するサービスのうちの１つまたはその組み合わせを含む。
【００１１】
好ましくは、端末のモビリティ管理マッピング関係に基づき、端末に提供するモビリティサポートレベル、または、モビリティ管理メカニズムを確定する場合、
端末のモビリティ情報に基づき端末の所在条件を確定し、
端末の所在条件に基づき、端末のモビリティ管理マッピング関係から、端末のモビリティサポートレベル、または、モビリティ管理メカニズムを確定する。
【００１２】
好ましくは、端末の所在条件及び端末のモビリティマッピング関係に基づき、端末に提供するモビリティサポートレベル、または、モビリティ管理メカニズムを確定する場合、
端末のモビリティ情報に基づき端末の所在条件を確定し、
端末の所在条件及びモビリティマッピング関係に基づき、端末のモビリティレベルを確定し、
端末の属性及び端末のモビリティレベルに基づき、端末に提供するモビリティサポートレベル、または、モビリティ管理メカニズムを確定する。
【００１３】
好ましくは、前記端末のモビリティ管理マッピング関係は、端末のサブスクリプション情報、または、ネットワーク設定情報に格納され、または、前記端末のモビリティマッピング関係は、端末のサブスクリプション情報、または、ネットワーク設定情報に格納される。
【００１４】
好ましくは、事業者またはネットワークにより、前記端末のモビリティ管理マッピング関係、または、モビリティマッピング関係をアップデート及び／または調整し、
及び／または、端末に提供するモビリティサポートレベル、または、モビリティ管理メカニズムを確定した後、事業者またはネットワークにより、前記モビリティサポートレベル、または、モビリティ管理メカニズムをアップデート及び／または調整する。
【００１５】
好ましくは、前記端末のモビリティレベルは、モビリティなし、制限されるモビリティ、低モビリティ、無制限モビリティ及び位置追跡がないモビリティのうちの１つを含む。
【００１６】
好ましくは、端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示する。
【００１７】
好ましくは、モビリティサポートレベル、または、モビリティ管理メカニズムに応じて端末にモビリティ管理サポートを提供するデバイスは、サービスの提供に必要とするモビリティ管理のサブ機能、及び／または、各々モビリティ管理のサブ機能の位置に基づき、確定されたものである。
【００１８】
好ましくは、サービスの提供に必要とするモビリティ管理のサブ機能は、ハンドオーバ制御、位置登録、及びページングのうちの１つまたはこれらの組み合わせを含む。
【００１９】
好ましくは、各々モビリティ管理のサブ機能の位置は、ＲＡＮまたはＣＮにある。
【００２０】
本発明の実施例に係るモビリティ管理の処理方法は、
端末にモビリティサポートレベル、または、モビリティ管理メカニズムを提供する旨の指示を受信するステップと、
前記指示に応じて、端末に対応するモビリティ管理を提供するステップとを有する。
【００２１】
本発明の実施例に係る端末に提供する必要があるモビリティ管理サポートを確定する装置は、
端末のモビリティ管理またはモビリティと関連する情報を確定する情報確定モジュールと、
モビリティ管理と関連する情報に基づいて端末のモビリティ管理マッピング関係を確定し、または、モビリティと関連する情報に基づいて端末のモビリティマッピング関係を確定し、前記モビリティ管理マッピング関係は、端末の所在条件が必要とするモビリティ管理モビリティサポートレベル、または、モビリティ管理メカニズムとの間のマッピング関係であり、前記モビリティマッピング関係は、端末の所在条件が端末のモビリティレベルとの間のマッピング関係であるマッピングモジュールと、
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定する確定モジュールとを備える。
【００２２】
好ましくは、情報確定モジュールは、以下情報のうちの１つまたはその組み合わせを含む前記端末のモビリティ管理と関連する情報、または、前記端末のモビリティと関連する情報を確定し、
端末タイプ、ＳＩＭカードタイプ、サブスクリプションサービスタイプ、端末の所在時間帯、端末の所在位置、端末上のユーザー設定、ネットワークにおける端末状態及び端末が要求するサービス。
【００２３】
好ましくは、マッピングモジュールは、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成された前記モビリティ管理マッピング関係、または、前記モビリティマッピング関係を利用する。
【００２４】
好ましくは、マッピングモジュールは、以下の関係を含むモビリティ管理マッピング関係を利用し、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しなく、
または、端末の通信モードは端末によって開始された単方向データのみをサポートし、必要とするモビリティ管理はＰａｇｉｎｇ機能を提供しなく、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができる。
【００２５】
好ましくは、マッピングモジュールは、端末タイプ、端末の所在時間帯、端末の所在位置、端末上のユーザー設定、ネットワークにおける端末状態及び端末が要求するサービスのうちの１つまたはその組み合わせを含む前記端末の所在条件を利用する。
【００２６】
好ましくは、指示モジュールは、端末のモビリティ管理マッピング関係に基づき、端末に提供するモビリティサポートレベル、または、モビリティ管理メカニズムを確定する場合、端末のモビリティ情報に基づき端末の所在条件を確定し、端末の所在条件に基づき、端末のモビリティ管理マッピング関係から、端末のモビリティサポートレベル、または、モビリティ管理メカニズムを確定する。
【００２７】
好ましくは、指示モジュールは、端末の所在条件及び端末のモビリティマッピング関係に基づき、端末に提供するモビリティサポートレベル、または、モビリティ管理メカニズムを確定する場合、端末のモビリティ情報に基づき端末の所在条件を確定し、端末の所在条件及びモビリティマッピング関係に基づき、端末のモビリティレベルを確定する；端末の属性及び端末のモビリティレベルに基づき、端末に提供するモビリティサポートレベル、または、モビリティ管理メカニズムを確定する。
【００２８】
好ましくは、マッピングモジュールは、端末のサブスクリプション情報またはネットワーク設定情報に含まれる前記端末のモビリティ管理マッピング関係、または、前記端末のモビリティマッピング関係を確定する。
【００２９】
好ましくは、マッピングモジュールは、事業者またはネットワークにより、前記端末のモビリティ管理マッピング関係、または、モビリティマッピング関係をアップデート及び／または調整し、及び／または、端末に提供するモビリティサポートレベル、または、モビリティ管理メカニズムを確定した後、事業者またはネットワークにより、前記モビリティサポートレベル、または、モビリティ管理メカニズムをアップデート及び／または調整する。
【００３０】
好ましくは、マッピングモジュールは、モビリティなし、制限されるモビリティ、低モビリティ及び無制限モビリティのうちの１つのモビリティレベルを利用する。
【００３１】
好ましくは、端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示する指示モジュールをさらに備える。
【００３２】
好ましくは、指示モジュールは、サービスの提供に必要とするモビリティ管理のサブ機能、及び／または、各々モビリティ管理のサブ機能の位置に基づき、モビリティサポートレベル、または、モビリティ管理メカニズムに応じて、端末にモビリティ管理サポートを提供するデバイスを確定する。
【００３３】
好ましくは、サービスの提供に必要とするモビリティ管理のサブ機能は、ハンドオーバ制御、位置登録、及びページングのうちの１つまたはこれらの組み合わせを含む。
【００３４】
好ましくは、各々モビリティ管理のサブ機能の位置は、ＲＡＮまたはＣＮにある。
【００３５】
本発明の実施例に係るモビリティ管理を処理する装置は、
端末にモビリティサポートレベル、または、モビリティ管理メカニズムを提供する旨の指示を受信する受信モジュールと、
前記指示に応じて、端末に対応するモビリティ管理を提供する管理モジュールとを備える。
【００３６】
本発明の実施例に係る端末に提供する必要があるモビリティ管理サポートを確定する装置は、プロセッサと、メモリと、送受信機とを備え、
前記プロセッサは、メモリに格納されたプログラムを読み出して、端末のモビリティ管理またはモビリティと関連する情報を確定し、
モビリティ管理と関連する情報に基づいて端末のモビリティ管理マッピング関係を確定し、または、モビリティと関連する情報に基づいて端末のモビリティマッピング関係を確定し、前記モビリティ管理マッピング関係は、端末の所在条件が必要とするモビリティサポートレベル、または、モビリティ管理メカニズムとの間のマッピング関係であり、前記モビリティマッピング関係は、端末の所在条件が端末のモビリティレベルとの間のマッピング関係であり、
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定し、
前記送受信機は、プロセッサの制御によりデータを送受信し、端末のモビリティ管理マッピング関係に基づき、端末に提供するモビリティサポートレベル、または、モビリティ管理メカニズムを確定した後、指示する。
【００３７】
好ましくは、プロセッサは、端末タイプ、ＳＩＭカードタイプ、サブスクリプションサービスタイプ、端末の所在時間帯、端末の所在位置、端末上のユーザー設定、ネットワークにおける端末状態及び端末が要求するサービス以下情報のうちの１つまたはその組み合わせを含む前記端末のモビリティ管理と関連する情報、または、前記端末のモビリティと関連する情報を確定する。
【００３８】
好ましくは、プロセッサは、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成された前記モビリティ管理マッピング関係、または、前記モビリティマッピング関係を利用する。
【００３９】
好ましくは、プロセッサは、以下の関係を含むモビリティ管理マッピング関係を利用し、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しなく、
または、端末の通信モードは端末によって開始された単方向データのみをサポートし、必要とするモビリティ管理はＰａｇｉｎｇ機能を提供しなく、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができる。
【００４０】
好ましくは、プロセッサは、端末タイプ、端末の所在時間帯、端末の所在位置、端末上のユーザー設定、ネットワークにおける端末状態及び端末が要求するサービス以下情報のうちの１つまたはその組み合わせを含む前記端末の所在条件を利用する。
【００４１】
好ましくは、プロセッサは、端末のモビリティ管理マッピング関係に基づき、端末に提供するモビリティサポートレベル、または、モビリティ管理メカニズムを確定する場合、端末のモビリティ情報に基づき端末の所在条件を確定する；端末の所在条件に基づき、端末のモビリティ管理マッピング関係から、端末のモビリティサポートレベル、または、モビリティ管理メカニズムを確定する。
【００４２】
好ましくは、プロセッサは、端末の所在条件及び端末のモビリティマッピング関係に基づき、端末に提供するモビリティサポートレベル、または、モビリティ管理メカニズムを確定する場合、端末のモビリティ情報に基づき端末の所在条件を確定し、端末の所在条件及びモビリティマッピング関係に基づき、端末のモビリティレベルを確定する；端末の属性及び端末のモビリティレベルに基づき、端末に提供するモビリティサポートレベル、または、モビリティ管理メカニズムを確定する。
【００４３】
好ましくは、プロセッサは、端末のサブスクリプション情報またはネットワーク設定情報に含まれる前記端末のモビリティ管理マッピング関係、または、前記端末のモビリティマッピング関係を確定する。
【００４４】
好ましくは、プロセッサは、事業者またはネットワークにより、前記端末のモビリティ管理マッピング関係、または、モビリティマッピング関係をアップデート及び／または調整し、及び／または、端末に提供するモビリティサポートレベル、または、モビリティ管理メカニズムを確定した後、事業者またはネットワークにより、前記モビリティサポートレベル、または、モビリティ管理メカニズムをアップデート及び／または調整する。
【００４５】
好ましくは、プロセッサは、リティなし、制限されるモビリティ、低モビリティ及び無制限モビリティのうちの１つのモビリティレベルを利用する。
【００４６】
好ましくは、プロセッサは、端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示する。
【００４７】
好ましくは、プロセッサは、サービスの提供に必要とするモビリティ管理のサブ機能、及び／または、各々モビリティ管理のサブ機能の位置に基づき、モビリティサポートレベル、または、モビリティ管理メカニズムに応じて、端末にモビリティ管理サポートを提供するデバイスを確定する。
【００４８】
好ましくは、サービスの提供に必要とするモビリティ管理のサブ機能は、ハンドオーバ制御、位置登録、及びページングのうちの１つまたはこれらの組み合わせを含む。
【００４９】
好ましくは、各々モビリティ管理のサブ機能の位置は、ＲＡＮまたはＣＮにある。
【００５０】
本発明の実施例に係る他のモビリティ管理の処理装置は、プロセッサと、メモリと、送受信機とを備え、
前記プロセッサは、メモリに格納されたプログラムを読み出して、前記指示に応じて、端末に対応するモビリティ管理を提供し、
前記送受信機は、プロセッサの制御によりデータを送受信し、端末にモビリティサポートレベル、または、モビリティ管理メカニズムを提供する旨の指示を受信する。
【発明の効果】
【００５１】
本発明の効果は以下とおりである。
【００５２】
本発明の実施例に係る技術案によれば、端末に提供する必要があるモビリティ管理サポートを確定する場合、予め、端末のモビリティ管理またはモビリティと関連する情報に基づき、端末のモビリティ管理マッピング関係、または、モビリティマッピング関係を確定する。当該マッピング関係は、端末の所在条件の場合提供する必要があるモビリティサポートレベル、または、モビリティ管理メカニズムを示し、こうして、端末のモビリティ管理マッピング関係に基づき、または、モビリティマッピング関係端末に提供するモビリティサポートレベル、または、モビリティ管理メカニズムを確定する。
【００５３】
さらに、モビリティサポートレベル、または、モビリティ管理メカニズムを確定した後、端末にモビリティ管理を提供するプロセスにおいて、モビリティサポートを提供する関連のデバイスエンティティに、モビリティサポートレベル、または、モビリティ管理メカニズムを提供する旨の指示を出すことができる。
【００５４】
モビリティサポートを提供する関連のデバイスエンティティが指示を受信した後、指示に従って端末にモビリティ管理を提供すればよい。
【００５５】
よって、本発明の実施例に係る技術案は、オンデマンド・モビリティ管理を実現することができる。
【００５６】
本発明に係る実施例や従来の技術方案をより明確に説明するために、以下に実施例を説明するために必要な図面について簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００５７】
【図１】本発明の実施例に係る端末に提供する必要があるモビリティ管理のサポートを確定する方法のフローチャートである。
【図２】本発明の実施例に係る処理モビリティ管理を処理する方法のフローチャートである。
【図３】本発明の実施例に係る端末の現在モビリティサポートレベルを確定するフローチャートである。
【図４】本発明の実施例に係る端末位置変化後の現在モビリティサポートレベルを確定するフローチャートである。
【図５】本発明の実施例に係るオンデマンド・モビリティ管理メカニズム場合のモビリティ管理機能分布図である。
【図６】本発明の実施例に係る端末に提供する必要があるモビリティ管理サポートを確定する装置の構成図である。
【図７】本発明の実施例に係るモビリティ管理の処理装置の構成図である。
【図８】本発明の実施例に係る事業者サーバの構成図である。
【図９】本発明の実施例に係るネットワーク側デバイスの構成図である。
【発明を実施するための形態】
【００５８】
オンデマンドモビリティ管理は、各種サービスや各種の端末をサポートする次世代ネットワークにおいて、ネットワークリソースの利用効率を向上させる重要な技術の1つとなっている。しかしながら、これまでネットワーク上のオンデマンドモビリティ管理に関する関連技術は存在しなかった。よって、本発明の実施例はオンデマンド・モビリティ管理の案を提供し、以下、図面を参照しながら、本発明の実施態様を説明する。
【００５９】
説明中、情報サーバとネットワーク側、端末側それぞれの実施に分けて説明する。情報サーバにおいて、情報の確立を説明し、ネットワーク側では、ニーズに応じてモビリティ管理を提供するプロセスを説明する以上、実例により、端末側にモビリティ管理の提供を説明する。そして、三者の協働実施の例により、本発明の実施例に係る技術案を説明する。ここで、三者が必ず協働実施するか、または、個別に実施することを意味しない。実際は、情報サーバ、ネットワーク側、端末側それぞれ、個別に実施しても、情報サーバ及びネットワーク側の問題点を解決できるが、三者が協働実施すれば、より優れる技術効果を奏する。
【００６０】
図１は端末に提供する必要があるモビリティ管理のサポートを確定する方法のフローチャートであり、図に示すように、以下のステップを有する。
【００６１】
ステップ１０１において、端末のモビリティ管理と関連する情報を確定する。
【００６２】
ステップ１０２において、モビリティ管理と関連する情報に基づいて端末のモビリティ管理マッピング関係を確定する。前記モビリティ管理マッピング関係は、端末の所在条件と必要とするモビリティ管理の間の関係である。
【００６３】
ステップ１０３において、端末のモビリティ管理マッピング関係に基づき、端末に提供するモビリティサポートレベル、または、モビリティ管理メカニズムを確定する。
【００６４】
モビリティと関連する情報に対し、以下のように実施する。
【００６５】
ステップ１０１において、端末のモビリティと関連する情報を確定する。
【００６６】
ステップ１０２において、モビリティと関連する情報に基づいて端末のモビリティマッピング関係を確定する。前記モビリティマッピング関係は、端末の所在条件が端末のモビリティレベルとの間のマッピング関係である。
【００６７】
ステップ１０３において、端末の所在条件及び端末のモビリティマッピング関係に基づき、端末に提供するモビリティサポートレベル、または、モビリティ管理メカニズムを確定する。
【００６８】
実施において、モビリティ管理とは、ネットワークから端末に提供するサービスを指し、ネットワークより決定する。モビリティは、端末の移動属性であり、端末に用いられ、端末自身の移動行為により決定される。
【００６９】
モビリティ管理マッピング関係は、端末の所在条件が、ネットワークがこの際の端末に提供するモビリティサポートレベル、または、モビリティ管理メカニズムとの間のマッピング関係を指す。
【００７０】
モビリティマッピング関係は、端末の所在条件が端末のモビリティレベルとの間のマッピング関係を指す。
【００７１】
具体的に、モビリティ管理マッピング関係は、モビリティマッピング関係により確定される可能性もある。
【００７２】
実施において、モビリティマッピング関係を用いて、端末に提供するモビリティ管理レベル、または、メカニズムを確定する場合、端末の所在条件も考慮することは、「モビリティ管理マッピング関係」が単一テーブルエントリであり、「モビリティ管理マッピング関係」が確定されたら、ネットワークは、モビリティサポートレベル、または、モビリティ管理メカニズムを直接に確定することができる。詳しくは、以下のモビリティ管理マッピング関係を参考することができる。例えば、設定されたサブスクリプションサービスタイプはＩＭＳ音声／ビデオサービスであり、端末タイプはｓｍａｒｔ ｐｈｏｎｅであり、必要とするモビリティ管理は高いモビリティサポートレベルである。
【００７３】
モビリティマッピング関係に基づいてモビリティサポートレベル、または、モビリティ管理メカニズムを確定する場合、モビリティマッピング関係は単なる考慮すべき要素の１つであり、ネットワークは、端末他の要素例えば、端末属性（端末タイプ、端末上のサービスの連続性、端末のユーザーサブスクリプション等）などを考慮することも可能である。
【００７４】
図２は、モビリティ管理の処理方法のフローチャートであり、図に示すように、以下のステップを有する。
【００７５】
ステップ２０１において、端末にモビリティサポートレベル、または、モビリティ管理メカニズムを提供する旨の指示を受信する。
【００７６】
ステップ２０２において、前記指示に応じて、端末に対応するモビリティ管理を提供する。
【００７７】
実施において、端末のモビリティ管理と関連する情報、または、前記端末のモビリティと関連する情報は、端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含む。
【００７８】
実施において、前記モビリティ管理マッピング関係、または、前記モビリティマッピング関係は、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成されることができる。
【００７９】
実施において、上記情報に基づいてモビリティ管理マッピング関係を生成する場合、前記モビリティ管理マッピング関係は以下のいつである。
【００８０】
*サブスクリプションサービスタイプはＩＭＳ音声／ビデオサービスであり、端末タイプはｓｍａｒｔ ｐｈｏｎｅであり、必要とするモビリティ管理は高いモビリティサポートレベルである。
【００８１】
*または、サブスクリプションサービスタイプは小型データ伝送であり、端末タイプは機器通信タイプ端末であり、必要とするモビリティ管理はモビリティが制限されるサポートレベルである。
【００８２】
*または、端末の通信モードは常時オンライン状態であり、必要とするモビリティ管理は位置管理機能を提供しない。
【００８３】
*または、端末の通信モードは端末によって開始された単方向データのみをサポートし、必要とするモビリティ管理はＰａｇｉｎｇ機能を提供しない。
【００８４】
*または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができる。
【００８５】
実施において、端末の所在条件は、端末タイプ、端末の所在時間帯、端末の所在位置、端末上のユーザー設定、ネットワークにおける端末状態及び端末が要求するサービスのうちの１つまたはその組み合わせを含む。
【００８６】
実施において、端末のモビリティ管理マッピング関係に基づき、端末に提供するモビリティサポートレベル、または、モビリティ管理メカニズムを確定する場合、端末のモビリティ情報に基づき端末の所在条件を確定する。
【００８７】
また、端末の所在条件に基づき、端末のモビリティ管理マッピング関係から、端末のモビリティサポートレベル、または、モビリティ管理メカニズムを確定する。
【００８８】
実施において、端末の所在条件及び端末のモビリティマッピング関係に基づき、端末に提供するモビリティサポートレベル、または、モビリティ管理メカニズムを確定する場合、端末のモビリティ情報に基づき端末の所在条件を確定する。
【００８９】
端末の所在条件及びモビリティマッピング関係に基づき、端末のモビリティレベルを確定する。
【００９０】
端末の属性及び端末のモビリティレベルに基づき、端末に提供するモビリティサポートレベル、または、モビリティ管理メカニズムを確定する。
【００９１】
実施において、前記端末のモビリティ管理マッピング関係は、端末のサブスクリプション情報、または、ネットワーク設定情報に格納されることができ、または、前記端末のモビリティマッピング関係は、端末のサブスクリプション情報、または、ネットワーク設定情報に格納される。
【００９２】
実施において、また、事業者またはネットワークにより、前記端末のモビリティ管理マッピング関係、または、モビリティマッピング関係をアップデート及び／または調整する。
【００９３】
及び／または、端末に提供するモビリティサポートレベル、または、モビリティ管理メカニズムを確定した後、事業者またはネットワークにより、前記モビリティサポートレベル、または、モビリティ管理メカニズムをアップデート及び／または調整する。
【００９４】
実施において、事業者またはネットワークにより、前記モビリティサポートレベル、または、モビリティ管理メカニズムをアップデート及び／または調整する。端末のモビリティ管理マッピング関係は、事業者またはネットワークによりアップデート及び／または調整されることができる。具体的に、端末タイプ、ＳＩＭカードタイプ、サブスクリプションサービスタイプ、端末のモビリティルール、端末の通信モデル及びネットワーク運行ポリシー等が含まれる。ネットワークに格納された端末のモビリティ管理マッピング関係をアップデートするか、または、調整する。
【００９５】
実施において、事業者またはネットワークにより、前記モビリティサポートレベル、または、モビリティ管理メカニズムをアップデート及び／または調整するのは、実のニーズに応じて行う。モビリティ管理マッピング関係は、端末の所在条件が必要とするモビリティサポートレベル、または、モビリティ管理メカニズムとの間の関係であるが、モビリティ管理マッピング関係に基づいて端末に提供するモビリティサポートレベル、または、モビリティ管理メカニズムを確定した後、実のニーズに応じて、修正または調整されることができる。具体的に、事業者、または、ネットワークにより修正される。例えば、ネットワーク運行システムのポリシー制御機能により、直接に修正する。
【００９６】
実施において、前記端末のモビリティレベルは、モビリティなし、制限されるモビリティ、低モビリティ及び無制限モビリティのうちの１つを含む。
【００９７】
実施において、端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示する。
【００９８】
具体的に、モビリティサポートレベル、または、モビリティ管理メカニズムのデバイス上のレベルまたは、メカニズムを確定した後、ＲＡＮまたはＣＮ上の、モビリティ管理サポートサービスを提供するデバイスに執行させるように指示することができる。こうして、端末に必要とするモビリティサポートを提供する。指示する場合、当該指示の目的としては、モビリティ管理サポートを提供するデバイスにモビリティサポートを執行させることを通知することにあるため、具体的な指示方式及び内容は、実のニーズに応じて設定することができ、これは当業者に理解できる。
【００９９】
実施において、モビリティサポートレベル、または、モビリティ管理メカニズムに応じて端末にモビリティ管理サポートを提供するデバイスは、サービスの提供に必要とするモビリティ管理のサブ機能、及び／または、各々モビリティ管理のサブ機能の位置に基づき、確定されたものである。
【０１００】
実施において、サービスの提供に必要とするモビリティ管理のサブ機能は、ハンドオーバ制御、位置登録、及びページングのうちの１つまたはこれらの組み合わせを含む。
【０１０１】
実施において、各々モビリティ管理のサブ機能の位置は、ＲＡＮ（Ｒａｄｉｏ Ａｃｃｅｓｓ Ｎｅｔｗｏｒｋ）、または、ＣＮ（Ｃｏｒｅ Ｎｅｔｗｏｒｋ）である。
【０１０２】
実施の際、事業者はユーザーとサブスクリプションする場合、端末タイプ、ＳＩＭ（Ｓｕｂｓｃｒｉｂｅｒ Ｉｄｅｎｔｉｔｙ Ｍｏｄｕｌｅ，ユーザー識別モジュール）カードタイプ、サブスクリプションサービスタイプ等に基づいて、当該端末のユーザーの初期サブスクリプションのモビリティサポートレベルを確定し、サブスクリプション情報に書き込む。そして、その後、端末の移動軌跡からデータを掘り起こし、その端末のモビリティルールを取得し、当該端末がサブスクリプションしたモビリティサポートレベルを修正して格納する。
【０１０３】
端末がネットワークにアクセスした場合、ネットワーク側は、端末が要求するサービス情報及び所在する位置情報に基づき、サブスクリプション情報に格納されたサブスクリプションのモビリティサポートレベルにおいて照合することにより、端末の現在モビリティサポートレベルを取得し、取得されたモビリティサポートレベルに基づき、対応のモビリティ管理機能を確定して端末にサービスを提供する。
【０１０４】
以下、さらに実例により説明し、モビリティ管理マッピング関係を主に説明するが、当業者であれば、モビリティ管理マッピング関係及びモビリティマッピング関係の共通性及び相違点に基づいて対応のモビリティマッピング関係関連の案を容易に設計できる。
【０１０５】
＜実施例１＞サブスクリプション情報に含まれるモビリティ管理レベル
５Ｇネットワークのサブスクリプションしたモビリティサポートレベル、または、モビリティ管理メカニズムを定義する。例えば、Ｌｅｖｅｌ Ｉ，Ｌｅｖｅｌ ＩＩ，Ｌｅｖｅｌ ＩＩＩ；Ｃｅｎｔｒａｌｉｚｅｄ ＭＭ，Ｄｉｓｔｒｉｂｕｔｅｄ ＭＭ……など。
【０１０６】
事業者がユーザーとサブスクリプションする場合、端末タイプ，サブスクリプションサービス等に基づき、当該端末ユーザーの初期サブスクリプションのモビリティサポートレベルを確定し、サブスクリプション情報に書き込む。例えば、ＩＭＳ（ＩＰ Ｍｕｌｔｉｍｅｄｉａ Ｓｙｓｔｅｍ，）音声／ビデオサービスをサブスクリプションしたｓｍａｒｔ ｐｈｏｎｅに対し、高いモビリティサポートレベルを書き込む。小型データ伝送をサブスクリプションした機器通信タイプ端末に対し、モビリティが制限されるサポートレベルを書き込む。以下の表４−１に示す。
【０１０７】
【表１】
2019510442.tif 000003
【０１０８】
表中の英部略称は以下のように定義される。
PLMN：Public Land Mobile Network，公衆移動通信網
CMM：Centralized mobility management，集中型モビリティ管理
MM：Mobility management，モビリティ管理
MA：Mobility anchor，モビリティアンカー
UP：User Plane，ユーザープレーン
LMA：Local mobility anchor, ローカルモビリティアンカー。
【０１０９】
また、事業者が端末のモビリティサポートレベル、または、モビリティ管理メカニズムを確定する場合、端末の通信モード（例えば、端末常時オンライン状態、端末が１方向データ送信のみをサポート（例えば、ＭＯ（Ｍｏｂｉｌｅ ｏｒｉｇｉｎａｔｅｄ） ｏｎｌｙ）し、端末がｏｆｆｌｉｎｅデータ伝送モードを利用し、端末がローミングにアクセスモードを利用する等）も考慮する。端末通信モードに対する考慮により、端末に最終に用いられるモビリティ管理メカニズムには、端末に異なる位置管理を提供する。例えば、常時オンライン状態の端末に対し、位置管理機能を提供しない。１方向データ送信のみをサポートする端末（ＭＯ ｏｎｌｙ）にＰａｇｉｎｇ（ページング）機能を提供しない。よって、端末のサブスクリプションに通信モード、または、位置管理方法と関連する情報が含まれることが可能である。さらに、端末の通信モードは多様であり、端末は異なるシナリオにおいて、例えば、異なる時間帯、異なる位置、または、ユーザーに応じる異なる設定の場合、異なる通信モードまたは位置管理方法が採用される。よって、端末のサブスクリプションに、異なる通信シナリオの通信モードまたは位置管理方法と関連する情報が含まれることも可能である。
【０１１０】
その後の運行プロセスにおいて、端末のビリティルール及びサービスタイプ（例えば、端末ユーザーが申し込んだサービス種類が変えた）に基づき、事業者のネットワーク運行サポートシステムは、端末の可能なモビリティサポートレベルを修正する。表４−２はｓｍａｒｔ ｐｈｏｎｅのサブスクリプションの例である。
【０１１１】
【表２】
2019510442.tif 000004
【０１１２】
＜実施例２＞
端末がアクセスする場合、端末の現在モビリティ管理レベル、または、モビリティ管理メカニズムを確定する。
【０１１３】
端末がネットワークにアクセスする場合、ネットワークのモビリティサポートレベル確定機能により、現在、端末に提供するモビリティサポートレベル、または、モビリティ管理メカニズムを確定する。当該プロセスでは、ネットワークは、端末が要求するサービスの記述、端末の位置及び端末のサブスクリプション情報を得る必要がある。
【０１１４】
図３は端末の現在モビリティサポートレベルを確定するフローチャートである。図に示すように、以下のステップを有する。
【０１１５】
ステップ３０１において、端末からのアクセス要求を受信し、現在ＴＡＩ（Ｔｒａｃｋｉｎｇ Ａｒｅａ ＩＤ）及びＡｐｐｌｉｃａｔｉｏｎ ＩＤを取得する。
【０１１６】
ステップ３０２において、ユーザーサブスクリプション情報をサーチし、現在モビリティサポートレベル、または、モビリティ管理メカニズムを確定する。
【０１１７】
ステップ３０３において、モビリティ管理の具体的なメカニズムを確定する。
【０１１８】
ステップ３０４において、ＲＡＮ（Ｒａｄｉｏ Ａｃｃｅｓｓ Ｎｅｔｗｏｒｋ）及び／または、ＣＮ（Ｃｏｒｅ Ｎｅｔｗｏｒｋ）において対応のモビリティ管理のサブ機能を利用する。
【０１１９】
モビリティサポートレベル確定機能は、端末が要求するサービス記述、及び／または、端末位置に基づき、端末サブスクリプション情報内のサブスクリプションのモビリティサポートレベル、または、モビリティ管理メカニズムをサーチし、対応のモビリティサポートレベル、または、モビリティ管理メカニズムを取得すると、モビリティサポートレベル確定機能は、対応のモビリティ管理メカニズムを確定することができる。その後、関連する各々制御プレーンモビリティ管理のサブ機能（例えば、ハンドオーバ管理，位置管理等）により、端末にサービスを提供する。
【０１２０】
端末がアクセスする場合、制御プレーン登録のみを行い、いずれのサービスも要求しない、即ち、ユーザープレーン接続確立の要求も、小型データ伝送の要求もしていなくても、モビリティサポートレベル確定機能は、直接に確定できるか、または、サブスクリプション内の潜在的なモビリティサポートレベルに基づいて、そのモビリティサポートレベルを確定する。
【０１２１】
また、サブスクリプション情報に端末の通信モード、または、位置管理方法と関連する情報が含まれば、ネットワークは、関連情報に基づいてモビリティサポートレベル、または、モビリティ管理メカニズムを確定することもできる。または、サブスクリプション情報に、端末の多様な通信モードまたは位置管理方法が含まれば、ネットワークは、端末の現在通信を取得し、端末の現在通信モデルに基づいて、最終のモビリティ管理の位置管理機能を確定する。
【０１２２】
＜実施例３＞
アクセスされた端末が新しいサービスを要求する場合、端末の現在モビリティ管理レベル、及び／または、モビリティ管理メカニズムを確定する。
【０１２３】
端末が現在制御プレーン登録のみを行い、いかなるサービスも要求していない場合、ネットワークのモビリティサポートレベル確定機能により、端末が要求するサービス記述、及び／または、端末位置に基づいて、端末サブスクリプション情報内のサブスクリプションのモビリティサポートレベル、または、モビリティ管理メカニズムをサーチし、対応のモビリティサポートレベル、または、モビリティ管理メカニズムを取得し、具体的なモビリティ管理メカニズムを確定する。そして、当該端末に対し、当該モビリティ管理メカニズムサービスのみを用いる。
【０１２４】
端末が現在サービスを既に取得したとすれば、ネットワークのモビリティサポートレベル確定機能は、端末が要求するサービス記述、及び／または、端末位置を取得して、端末サブスクリプション情報内のサブスクリプションのモビリティサポートレベル、または、モビリティ管理メカニズムをサーチし、対応のモビリティサポートレベル、または、モビリティ管理メカニズムを得て、具体的なモビリティ管理メカニズムを確定する。当該モビリティ管理メカニズムが端末へのサービス提供に用いられた場合、従来のモビリティ管理機能により、端末にサービスを提供する。さもないと、当該モビリティ管理メカニズムを稼働して端末にサービスを提供する。即ち、複数のモビリティ管理メカニズムを利用して端末にサービスを提供する。
【０１２５】
＜実施例４＞
端末のハンドオーバ、または、位置のアップデートの場合、端末の現在モビリティ管理レベル、または、モビリティ管理メカニズムを確定する。
【０１２６】
図４は端末位置が変えた後現在モビリティサポートレベルを確定するフローチャートであり、図に示すように、以下のステップを有する。
【０１２７】
ステップ４０１において、端末にハンドオーバまたは、位置アップデートが発生した場合、ＴＡＩのような端末位置情報を取得する。
【０１２８】
ステップ４０２において、新しい位置情報、及び／または、サービス情報に基づいてモビリティ管理レベル、または、モビリティ管理メカニズムを確定する。
【０１２９】
ステップ４０３において、モビリティ管理レベルが同様であるかを判断し、「はい」であれば、ステップ４０４に入り、「いいえ」であればステップ４０５に入る。
【０１３０】
ステップ４０４において、オリジナルモビリティ管理メカニズムを引き続き利用する。
【０１３１】
ステップ４０５において、新しいモビリティサポートレベル、または、モビリティ管理メカニズムに基づいて、新しい具体的なモビリティ管理メカニズムを確定する。
【０１３２】
ステップ４０６において、ＲＡＮ、及び／または、ＣＮに、対応のモビリティ管理のサブ機能を利用する。
【０１３３】
端末に、ハンドオーバ、または、位置アップデートが発生した後、ネットワークのモビリティサポートレベル確定機能は、端末のハンドオーバ後の位置に基づき、さらに、端末のサービス情報に基づき、端末の現在モビリティサポートレベル及び／または、モビリティ管理メカニズムを確定する。
【０１３４】
＜実施例５＞
確定されたモビリティサポートレベル、または、モビリティ管理メカニズムに基づき、具体的なモビリティ管理メカニズムを確定する。
【０１３５】
図５は、オンデマンド・モビリティ管理メカニズムのモビリティ管理機能分布図である。ネットワークのモビリティサポートレベル確定機能は、端末の現在モビリティサポートレベル、または、モビリティ管理メカニズムを確定した後、適合のモビリティ管理メカニズムを確定し、サービスの提供に必要とするモビリティ管理のサブ機能を最終てきに確定する。例えば、ハンドオーバ制御、位置登録、ページング等を確定し、また、各々モビリティ管理のサブ機能の位置（例えば、ＲＡＮ（Ｒａｄｉｏ Ａｃｃｅｓｓ Ｎｅｔｗｏｒｋ）または、ＣＮ（Ｃｏｒｅ Ｎｅｔｗｏｒｋ））を確定する。図５に示すアーキテクチャにおいて、制御プレーンモビリティ管理のサブ機能は、ローカルサービス中央、または、ネットワークサービス中央に設定されることができる。モビリティアンカーは、ローカルモビリティアンカー、または、中央モビリティアンカーであることができる。ネットワークのモビリティサポートレベル確定機能が端末の現在モビリティサポートレベル、または、モビリティ管理メカニズムに基づいて確定されたモビリティ管理メカニズムに、ＲＡＮ側のモビリティ管理のサブ機能を利用してサービスを提供するように要求されるが、ネットワークがＲＡＮ側において関連のサービスを有しない、例えば、図５に示すＬｏｃａｌ ｓｅｒｖｉｃｅ Ｃｅｎｔｅｒを有しなければ、モビリティサポートレベル確定機能は、ＣＮにおける対応のモビリティ管理機能を利用するように、モビリティ管理メカニズムを調整することができる。
【０１３６】
同様な発明思想に基づき、本発明の実施例はモビリティ管理サポートを提供する装置、モビリティ管理を処理する装置を提供し、これらの装置の課題解決原理は、モビリティ管理サポートを提供する方法及びモビリティ管理の処理方法と類似するため、デバイスの実施は方法の実施を参照すればよく、繰り返して説明しない。
【０１３７】
図６は端末に提供する必要があるモビリティ管理サポートを確定する装置の構成図である。図に示すように、情報確定モジュール６０１と、マッピングモジュール６０２と、マッピングモジュール６０２と、確定モジュール６０３とを備える。
【０１３８】
前記情報確定モジュール６０１は、端末のモビリティ管理またはモビリティと関連する情報を確定する。
【０１３９】
前記マッピングモジュール６０２は、モビリティ管理と関連する情報に基づいて端末のモビリティ管理マッピング関係を確定し、または、モビリティと関連する情報に基づいて端末のモビリティマッピング関係を確定する。前記モビリティ管理マッピング関係は、端末の所在条件が必要とするモビリティ管理モビリティサポートレベル、または、モビリティ管理メカニズムとの間のマッピング関係であり、前記モビリティマッピング関係は、端末の所在条件が端末のモビリティレベルとの間のマッピング関係である。
【０１４０】
前記確定モジュール６０３は、端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定する。
【０１４１】
実施において、情報確定モジュールは、端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含む前記端末のモビリティ管理と関連する情報、または、前記端末のモビリティと関連する情報を確定する。
【０１４２】
実施において、マッピングモジュールは、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成された前記モビリティ管理マッピング関係、または、前記モビリティマッピング関係を利用する。
【０１４３】
実施において、マッピングモジュールは、以下の関係を含むモビリティ管理マッピング関係を利用する。
【０１４４】
*サブスクリプションサービスタイプはＩＭＳ音声／ビデオサービスであり、端末タイプはｓｍａｒｔ ｐｈｏｎｅであり、必要とするモビリティ管理は高いモビリティサポートレベルである。
【０１４５】
*または、サブスクリプションサービスタイプは小型データ伝送であり、端末タイプは機器通信タイプ端末であり、必要とするモビリティ管理はモビリティが制限されるサポートレベルである。
【０１４６】
*または、端末の通信モードは常時オンライン状態であり、必要とするモビリティ管理は位置管理機能を提供しない。
【０１４７】
*または、端末の通信モードは端末によって開始された単方向データのみをサポートし、必要とするモビリティ管理はＰａｇｉｎｇ機能を提供しない。
【０１４８】
*または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができる。
【０１４９】
実施において、マッピングモジュールは、末タイプ、端末の所在時間帯、端末の所在位置、端末上のユーザー設定、ネットワークにおける端末状態及び端末が要求するサービスのうちの１つまたはその組み合わせを含む前記端末の所在条件を利用する。
【０１５０】
実施において、指示モジュールは、端末のモビリティ管理マッピング関係に基づき、端末に提供するモビリティサポートレベル、または、モビリティ管理メカニズムを確定する場合、端末のモビリティ情報に基づき端末の所在条件を確定する；端末の所在条件に基づき、端末のモビリティ管理マッピング関係から、端末のモビリティサポートレベル、または、モビリティ管理メカニズムを確定する。
【０１５１】
実施において、指示モジュールは、端末の所在条件及び端末のモビリティマッピング関係に基づき、端末に提供するモビリティサポートレベル、または、モビリティ管理メカニズムを確定する場合、端末のモビリティ情報に基づき端末の所在条件を確定する。端末の所在条件及びモビリティマッピング関係に基づき、端末のモビリティレベルを確定する。  
【０１５２】
端末の属性及び端末のモビリティレベルに基づき、端末に提供するモビリティサポートレベル、または、モビリティ管理メカニズムを確定する。
【０１５３】
実施において、マッピングモジュールは、端末のサブスクリプション情報またはネットワーク設定情報に含まれる前記端末のモビリティ管理マッピング関係、または、前記端末のモビリティマッピング関係を確定する。
【０１５４】
実施において、マッピングモジュールは、事業者またはネットワークにより、前記端末のモビリティ管理マッピング関係、または、モビリティマッピング関係をアップデート及び／または調整し、及び／または、端末に提供するモビリティサポートレベル、または、モビリティ管理メカニズムを確定した後、事業者またはネットワークにより、前記モビリティサポートレベル、または、モビリティ管理メカニズムをアップデート及び／または調整する。
【０１５５】
実施において、また、マッピングモジュールは、モビリティなし、制限されるモビリティ、低モビリティ及び無制限モビリティのうちの１つのモビリティレベルを利用する。
【０１５６】
実施において、端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示する指示モジュール６０４をさらに備える。
【０１５７】
実施において、指示モジュールは、サービスの提供に必要とするモビリティ管理のサブ機能、及び／または、各々モビリティ管理のサブ機能の位置に基づき、モビリティサポートレベル、または、モビリティ管理メカニズムに応じて、端末にモビリティ管理サポートを提供するデバイスを確定する。
【０１５８】
実施において、サービスの提供に必要とするモビリティ管理のサブ機能は、ハンドオーバ制御、位置登録、及びページングのうちの１つまたはこれらの組み合わせを含む。
【０１５９】
実施において、各々モビリティ管理のサブ機能の位置は、ＲＡＮまたはＣＮにある。
【０１６０】
図７はモビリティ管理の処理装置の構成図である。図に示すように、受信モジュール７０１と、管理モジュール７０２とを備える。
【０１６１】
前記受信モジュール７０１は、端末にモビリティサポートレベル、または、モビリティ管理メカニズムを提供する旨の指示を受信する。
【０１６２】
前記管理モジュール７０２は、前記指示に応じて、端末に対応するモビリティ管理を提供する。
【０１６３】
説明の便宜のため、前記装置の各部分を機能別に態様なモジュール、または、ユニットに分けて説明する。勿論、本発明を実施する場合、各モジュールまたは各部の機能は、同一または複数のソフトウェア／ハードウェアにおいて実行されることができる。
【０１６４】
上記実施例を参酌すると、本発明の実施例に係る技術案は、以下のように実施される。
【０１６５】
図８は事業者サーバの構成図である。図に示すように、サーバには、プロセッサ８００と、メモリ８２０と、送受信機８１０とを備える。
【０１６６】
前記プロセッサ８００は、メモリ８２０に格納されたプログラムを読み出して、端末のモビリティ管理またはモビリティと関連する情報を確定する。
【０１６７】
モビリティ管理と関連する情報に基づいて端末のモビリティ管理マッピング関係を確定し、または、モビリティと関連する情報に基づいて端末のモビリティマッピング関係を確定し、前記モビリティ管理マッピング関係は、端末の所在条件が必要とするモビリティサポートレベル、または、モビリティ管理メカニズムとの間のマッピング関係であり、前記モビリティマッピング関係は、端末の所在条件が端末のモビリティレベルとの間のマッピング関係である。
【０１６８】
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定する。
【０１６９】
前記送受信機８１０は、プロセッサ８００の制御によりデータを送受信し、端末のモビリティ管理マッピング関係に基づき、端末に提供するモビリティサポートレベル、または、モビリティ管理メカニズムを確定した後、指示する。
【０１７０】
実施において、前記端末のモビリティ管理と関連する情報、または、前記端末のモビリティと関連する情報は、端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含む。
【０１７１】
実施において、前記モビリティ管理マッピング関係、または、前記モビリティマッピング関係は、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成される。
【０１７２】
実施において前記情報に基づき、端末のモビリティ管理マッピング関係を確定する場合、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しない、
または、端末の通信モードは端末によって開始された単方向データのみをサポートし、必要とするモビリティ管理はＰａｇｉｎｇ機能を提供しない、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができる。
【０１７３】
実施において、前記端末の所在条件は、端末タイプ、端末の所在時間帯、端末の所在位置、端末上のユーザー設定、ネットワークにおける端末状態及び端末が要求するサービスのうちの１つまたはその組み合わせを含む。
【０１７４】
実施において、端末のモビリティ管理マッピング関係に基づき、端末に提供するモビリティサポートレベル、または、モビリティ管理メカニズムを確定する場合、端末のモビリティ情報に基づき端末の所在条件を確定する。
【０１７５】
端末の所在条件に基づき、端末のモビリティ管理マッピング関係から、端末のモビリティサポートレベル、または、モビリティ管理メカニズムを確定する。
【０１７６】
実施において、端末の所在条件及び端末のモビリティマッピング関係に基づき、端末に提供するモビリティサポートレベル、または、モビリティ管理メカニズムを確定する場合、端末のモビリティ情報に基づき端末の所在条件を確定する。
【０１７７】
また、端末の所在条件及びモビリティマッピング関係に基づき、端末のモビリティレベルを確定する。
【０１７８】
また、端末の属性及び端末のモビリティレベルに基づき、端末に提供するモビリティサポートレベル、または、モビリティ管理メカニズムを確定する。
【０１７９】
実施において、前記端末のモビリティ管理マッピング関係は、端末のサブスクリプション情報、または、ネットワーク設定情報に格納され、または、前記端末のモビリティマッピング関係は、端末のサブスクリプション情報、または、ネットワーク設定情報に格納される。
【０１８０】
実施において、また、事業者またはネットワークにより、前記端末のモビリティ管理マッピング関係、または、モビリティマッピング関係をアップデート及び／または調整する。
【０１８１】
及び／または、端末に提供するモビリティサポートレベル、または、モビリティ管理メカニズムを確定した後、事業者またはネットワークにより、前記モビリティサポートレベル、または、モビリティ管理メカニズムをアップデート及び／または調整する。
【０１８２】
実施において、端末のモビリティレベルは、以下情報のうちの１つを含む：
モビリティなし、制限されるモビリティ、低モビリティ、無制限モビリティ及び位置追跡がないモビリティのうちの１つを含む。
【０１８３】
実施において、端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示する。
【０１８４】
実施において、モビリティサポートレベル、または、モビリティ管理メカニズムに応じて端末にモビリティ管理サポートを提供するデバイスは、サービスの提供に必要とするモビリティ管理のサブ機能、及び／または、各々モビリティ管理のサブ機能の位置に基づき、確定されたものである。
【０１８５】
実  施において、サービスの提供に必要とするモビリティ管理のサブ機能は、ハンドオーバ制御、位置登録、及びページングのうちの１つまたはこれらの組み合わせを含む。
【０１８６】
実施において、各々モビリティ管理のサブ機能の位置は、ＲＡＮまたはＣＮにある。
【０１８７】
図８において、バスアーキテクチャは、いずれ数の相互接続するバス及びブリッジを備える。具体的に、プロセッサ８００が代表となる１つまたは複数のプロセッサ及びメモリ８２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機８１０は、複数の部品であることができ、即ち、送信機及び受信機を備え、伝送媒体を介して他の装置と通信するユニットを提供する。プロセッサ８００は、バスアーキテクチャ及び通常の処理を監視し、メモリ８２０は、プロセッサ８００が動作する際に利用するデータを記憶することができる。
【０１８８】
図９はネットワーク側デバイスの構成図である。図に示すように、ネットワーク側デバイスに、プロセッサ９００と、メモリ９２０と、送受信機９１０とを備える。
【０１８９】
前記プロセッサ９００は、メモリ９２０に格納されたプログラムを読み出して、前記指示に応じて、端末に対応するモビリティ管理を提供する。
【０１９０】
前記送受信機９１０は、プロセッサ９００の制御によりデータを送受信し、端末にモビリティサポートレベル、または、モビリティ管理メカニズムを提供する旨の指示を受信する。
【０１９１】
図９において、バスアーキテクチャは、いずれ数の相互接続するバス及びブリッジを備える。具体的に、プロセッサ９００が代表となる１つまたは複数のプロセッサ及びメモリ９２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機９１０は、複数の部品であることができ、即ち、送信機及び受信機を備え、伝送媒体を介して他の装置と通信するユニットを提供する。プロセッサ９００は、バスアーキテクチャ及び通常の処理を監視し、メモリ９２０は、プロセッサ９００が動作する際に利用するデータを記憶することができる。
【０１９２】
よって、本発明の実施例は、少なくとも以下の案を提供した。
【０１９３】
オンデマンド・モビリティ管理を実現するプロセスにおいて、端末のモビリティ情報を取得する。実施において、全部端末から提供されるものではなく、サブスクリプションされたものであることもでき、例えば、UEがサポートできるサービス情報。
【０１９４】
端末のモビリティ情報に基づいてサブスクリプション情報及び／または、ネットワーク設定情報（例えば、ポリシー制御設定情報）をサーチし、端末のモビリティサポートレベル、または、モビリティ管理メカニズムを確定する。実施において、モビリティ情報は、サブスクリプションのモビリティサポートレベルをサーチするためのものではなく、最終のモビリティサポートレベル及びモビリティ管理メカニズムを確定するためのものである。即ち、端末のモビリティ情報に基づいて、サブスクリプションのモビリティサポートレベル、または、モビリティ管理メカニズム情報をサーチし、端末に提供するモビリティサポートレベル、または、モビリティ管理メカニズムを確定する。
【０１９５】
端末のサブスクリプションモビリティサポートレベル、または、モビリティ管理メカニズムに基づいて、端末に提供するモビリティサポートレベル及び対応のモビリティ管理機能を確定する。
【０１９６】
確定されたモビリティ管理機能で端末に対しモビリティ管理を行う。
【０１９７】
端末のモビリティ情報は、端末の位置情報、端末タイプ、サブスクリプションのサービス情報及び要求したサービス情報のうちの１つまたはその組み合わせを含む。
【０１９８】
実施において、サブスクリプションのサービス情報は、サブスクリプション情報から取得できる。ＩＭＳI、ＧＵＴＩ等において、サブスクリプションの識別情報を検索することができる。
【０１９９】
端末のサブスクリプション情報に、以下うちの１つまたはその組み合わせを含む。
【０２００】
予め設定した端末のサブスクリプションのモビリティサポートレベル、または、サブスクリプションのモビリティ管理メカニズム。
【０２０１】
サブスクリプションの端末モビリティ範囲がサブスクリプションの端末のモビリティサポートレベル、または、モビリティ管理メカニズムとの対応関係リスト。
【０２０２】
さらに、端末モビリティ範囲、端末サブスクリプションのサービス、または、サポートできるサービス的情報が、端末のモビリティサポートレベル、または、モビリティ管理メカニズムとの対応関係リストをさらに含む。
【０２０３】
ネットワーク設定情報に、以下うちの１つまたはその組み合わせを含む。
【０２０４】
ネットワークエリアがモビリティサポートレベル、または、サブスクリプションのモビリティ管理メカニズムとの対応関係リスト。
【０２０５】
ネットワークエリアとサービスタイプが、端末のモビリティサポートレベル、または、モビリティ管理メカニズムとの対応関係リスト。
【０２０６】
端末のためにサービスを確定するモビリティ管理機能は、端末にモビリティサポートを提供できるモビリティ管理機能及びその位置を確定する。具体的に、例えば、ＣＮのモビリティサポート管理機能により実現することができる。
【０２０７】
モビリティ管理機能は、以下のうちの１つまたはその組み合わせを含む。
【０２０８】
端末登録機能、到達可能性管理機能、ハンドオーバ制御機能、位置登録機能、モビリティアンカーリロケート機能のうちの１つまたはその組み合わせを含む。
【０２０９】
モビリティ管理機能の位置は、ＲＡＮまたはＣＮである。
【０２１０】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２１１】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０２１２】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２１３】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０２１４】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２１５】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０２１６】
本出願は、２０１６年４月１日に中国特許局に提出し、出願番号が２０１６１０２０４７０３．５であり、発明名称が「端末に提供する必要があるモビリティ管理のサポート・処理を提供する方法及び装置」と、２０１６年４月５日に中国特許局に提出し、出願番号が２０１６１０２０７４８３．１であり、発明名称が「端末にモビリティ管理のサポート・処理を提供する方法及び装置」と、２０１６年６月１６日に中国特許局に提出し、出願番号が２０１６１０４３１４０３.０であり、発明名称が「端末に提供する必要があるモビリティ管理のサポート・処理を確定する方法及び装置」と、２０１６年６月３０日に中国特許局に提出し、出願番号が２０１６１０５０９９９２.Ｘであり、発明名称が「端末に提供する必要があるモビリティ管理のサポート・処理を確定する方法及び装置」との中国特許出願を基礎とする優先権を主張し、その開示の総てをここに取り込む。
【符号の説明】
【０２１７】
６０１  情報確定モジュール
６０２  マッピングモジュール
６０３  確定モジュール
６０４  指示モジュール
７０１  受信モジュール
７０２  管理モジュール
８００  プロセッサ
８１０  送受信機
８２０  メモリ
９００  プロセッサ
９１０  送受信機
９２０  メモリ
【図１】
2019510442.tif 000005
【図２】
2019510442.tif 000006
【図３】
2019510442.tif 000007
【図４】
2019510442.tif 000008
【図５】
2019510442.tif 000009
【図６】
2019510442.tif 000010
【図７】
2019510442.tif 000011
【図８】
2019510442.tif 000012
【図９】
2019510442.tif 000013
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
端末のモビリティ管理またはモビリティと関連する情報を確定するステップと、
モビリティ管理と関連する情報に基づいて端末のモビリティ管理マッピング関係を確定し、または、モビリティと関連する情報に基づいて端末のモビリティマッピング関係を確定するステップと、
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定するステップとを有し、
前記モビリティ管理マッピング関係は、端末の所在条件が必要とするモビリティサポートレベル、または、モビリティ管理メカニズムとの間のマッピング関係であり、前記モビリティマッピング関係は、端末の所在条件が端末のモビリティレベルとの間のマッピング関係であることを特徴とする端末に提供する必要があるモビリティ管理のサポートを確定する方法。
【請求項２】
前記端末のモビリティ管理と関連する情報、または、前記端末のモビリティと関連する情報は、端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含むことを特徴とする請求項１に記載の端末に提供する必要があるモビリティ管理のサポートを確定する方法。
【請求項３】
前記モビリティ管理マッピング関係、または、前記モビリティマッピング関係は、
端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成されることを特徴とする請求項１に記載の端末に提供する必要があるモビリティ管理のサポートを確定する方法。
【請求項４】
前記モビリティ管理マッピング関係は、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しなく、
または、端末の通信モードは端末によって開始された単方向データのみをサポートし、必要とするモビリティ管理はＰａｇｉｎｇ機能を提供しなく、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができることを特徴とする請求項３に記載の端末に提供する必要があるモビリティ管理のサポートを確定する方法。
【請求項５】
前記端末の所在条件は、端末タイプ、端末の所在時間帯、端末の所在位置、端末上のユーザー設定、ネットワークにおける端末状態及び端末が要求するサービスのうちの１つまたはその組み合わせを含むことを特徴とする請求項１に記載の端末に提供する必要があるモビリティ管理のサポートを確定する方法。
【請求項６】
端末のモビリティ管理マッピング関係に基づき、端末に提供するモビリティサポートレベル、または、モビリティ管理メカニズムを確定する場合、
端末のモビリティ情報に基づき端末の所在条件を確定し、
端末の所在条件に基づき、端末のモビリティ管理マッピング関係から、端末のモビリティサポートレベル、または、モビリティ管理メカニズムを確定することを特徴とする請求項１に記載の端末に提供する必要があるモビリティ管理のサポートを確定する方法。
【請求項７】
前記端末のモビリティ管理マッピング関係は、端末のサブスクリプション情報、または、ネットワーク設定情報に格納され、または、前記端末のモビリティマッピング関係は、端末のサブスクリプション情報、または、ネットワーク設定情報に格納されることを特徴とする請求項１に記載の端末に提供する必要があるモビリティ管理のサポートを確定する方法。
【請求項８】
事業者またはネットワークにより、前記端末のモビリティ管理マッピング関係、または、モビリティマッピング関係をアップデート及び／または調整し、
及び／または、
端末に提供するモビリティサポートレベル、または、モビリティ管理メカニズムを確定した後、事業者またはネットワークにより、前記モビリティサポートレベル、または、モビリティ管理メカニズムをアップデート及び／または調整することを特徴とする請求項１に記載の端末に提供する必要があるモビリティ管理のサポートを確定する方法。
【請求項９】
端末に提供するモビリティサポートレベル、または、モビリティ管理メカニズムを確定した後、モビリティサポートレベル、または、モビリティ管理メカニズムに応じて端末にモビリティ管理サポートを提供するデバイスに指示することを特徴とする請求項１ないし請求項８のいずれか一項に記載の端末に提供する必要があるモビリティ管理のサポートを確定する方法。
【請求項１０】
端末にモビリティサポートレベル、または、モビリティ管理メカニズムを提供する旨の指示を受信するステップと、
前記指示に応じて、端末に対応するモビリティ管理を提供するステップとを有することを特徴とするモビリティ管理の処理方法。
【請求項１１】
端末のモビリティ管理またはモビリティと関連する情報を確定する情報確定モジュールと、
モビリティ管理と関連する情報に基づいて端末のモビリティ管理マッピング関係を確定し、または、モビリティと関連する情報に基づいて端末のモビリティマッピング関係を確定し、前記モビリティ管理マッピング関係は、端末の所在条件が必要とするモビリティ管理モビリティサポートレベル、または、モビリティ管理メカニズムとの間のマッピング関係であり、前記モビリティマッピング関係は、端末の所在条件が端末のモビリティレベルとの間のマッピング関係であるマッピングモジュールと、
端末のモビリティ管理マッピング関係に基づき、端末に提供するモビリティサポートレベル、または、モビリティ管理メカニズムを確定するか、または、端末の所在条件及び端末のモビリティマッピング関係に基づき、端末に提供するモビリティサポートレベル、または、モビリティ管理メカニズムを確定する確定モジュールとを備えることを特徴とする端末に提供する必要があるモビリティ管理サポートを確定する装置。
【請求項１２】
情報確定モジュールは、端末タイプ、ＳＩＭカードタイプ、サブスクリプションサービスタイプ、端末の所在時間帯、端末の所在位置、端末上のユーザー設定、ネットワークにおける端末状態及び端末が要求するサービスのうちの１つまたはその組み合わせを含む前記端末のモビリティ管理と関連する情報、または、前記端末のモビリティと関連する情報を確定することを特徴とする請求項１１に記載の端末に提供する必要があるモビリティ管理サポートを確定する装置。
【請求項１３】
マッピングモジュールは、端末タイプ、ＳＩＭカードタイプ、サブスクリプションサービスタイプ、端末のモビリティルール、端末の通信モデル及びネットワーク運行ポリシーのうちの１つまたはその組み合わせに基づいて生成された前記モビリティ管理マッピング関係、または、前記モビリティマッピング関係を利用することを特徴とする請求項１１に記載の端末に提供する必要があるモビリティ管理サポートを確定する装置。
【請求項１４】
マッピングモジュールは、以下の関係を含むモビリティ管理マッピング関係を利用し、
サブスクリプションサービスタイプはＩＭＳ音声／ビデオサービスであり、端末タイプはｓｍａｒｔ ｐｈｏｎｅであり、必要とするモビリティ管理は高いモビリティサポートレベルであり、
または、サブスクリプションサービスタイプは小型データ伝送であり、端末タイプは機器通信タイプ端末であり、必要とするモビリティ管理はモビリティが制限されるサポートレベルであり、
または、端末の通信モードは常時オンライン状態であり、必要とするモビリティ管理は位置管理機能を提供しなく、
または、端末の通信モードは端末によって開始された単方向データのみをサポートし、必要とするモビリティ管理はＰａｇｉｎｇ機能を提供しなく、
または、端末は、特定のモビリティ領域、または、特定の時間帯、または、有限のモビリティ範囲に所在し、必要とするモビリティ管理はモビリティが制限されるサポートレベルであり、ローカルモビリティアンカーを利用することができることを特徴とする請求項１３に記載の端末に提供する必要があるモビリティ管理サポートを確定する装置。
【請求項１５】
マッピングモジュールは、
端末タイプ、端末の所在時間帯、端末の所在位置、端末上のユーザー設定、ネットワークにおける端末状態及び端末が要求するサービスのうちの１つまたはその組み合わせを含む前記端末の所在条件を利用することを特徴とする請求項１１に記載の端末に提供する必要があるモビリティ管理サポートを確定する装置。
【国際調査報告】
2019510442.tif 000014
2019510442.tif 000015
2019510442.tif 000016
2019510442.tif 000017